【手続補正書】
【提出日】平成17年6月15日(2005.6.15)
【手続補正１】
【補正対象書類名】特許請求の範囲
【補正対象項目名】全文
【補正方法】変更
【補正の内容】
【特許請求の範囲】
【請求項１】
ユーザが所有する複数の端末から、当該ユーザの移動履歴、および各端末の使用履歴を受信し、移動履歴データベースに格納する履歴管理部と、
情報提供者から、エリア条件およびタイミング条件を含む表示条件が付された表示条件付情報を受信し、情報記憶部に格納する情報受信部と、
前記情報記憶部に格納された表示条件付情報に対し、前記移動履歴データベースに格納された移動履歴から得られる当該ユーザの行動エリアと、エリア条件とを対比することによって、フィルタリングを行い、当該ユーザに送信すべき表示条件付情報を特定する情報フィルタリング部と、
前記移動履歴データベースに格納された使用履歴を参照し、前記情報フィルタリング部によって特定された表示条件付情報について、前記複数の端末の中から、その使用時間の長さおよび使用頻度を考慮して、タイミング条件を充足する端末を決定し、当該端末に前記表示条件付情報を送信する情報送信部とを備えた
ことを特徴とする情報配信装置。
【請求項２】
ユーザが所有する複数の端末から、当該ユーザの移動履歴、および各端末の使用履歴を受信し、移動履歴データベースに格納するステップと、
情報提供者から、エリア条件およびタイミング条件を含む表示条件が付された表示条件付情報を受信し、情報記憶部に格納するステップと、
前記情報記憶部に格納された表示条件付情報に対し、前記移動履歴データベースに格納された移動履歴から得られる当該ユーザの行動エリアと、エリア条件とを対比することによってフィルタリングを行い、当該ユーザに送信すべき表示条件付情報を特定するステップと、
前記移動履歴データベースに格納された使用履歴を参照し、特定された表示条件付情報について、前記複数の端末の中から、その使用時間の長さおよび使用頻度を考慮して、タイミング条件を充足する端末を決定し、当該端末に前記表示条件付情報を送信するステップとを備えた
ことを特徴とする情報配信方法。
【請求項３】
ユーザが所有する複数の端末から、当該ユーザの移動履歴、および各端末の使用履歴を受信し、かつ、前記各端末の蓄積可能な記憶容量を受信して、移動履歴データベースに格納する履歴管理部と、
情報提供者から、エリア条件およびタイミング条件を含む表示条件が付された表示条件付情報を受信し、情報記憶部に格納する情報受信部と、
前記情報記憶部に格納された表示条件付情報に対し、前記移動履歴データベースに格納された移動履歴から得られる当該ユーザの行動エリアと、エリア条件とを対比することによって優先度を決定する情報フィルタリング部と、
前記情報フィルタリング部によって決定された優先度の順に表示条件付情報を取り出し、前記複数の端末の中から、前記移動履歴データベースに格納された使用履歴と蓄積可能な記憶容量を参照して、タイミング条件を充足する端末を決定し、当該端末に前記表示条件付情報を送信する情報送信部とを備えた
ことを特徴とする情報配信装置。
【請求項４】
ユーザが所有する複数の端末から、当該ユーザの移動履歴、および各端末の使用履歴を受信し、かつ、前記各端末の蓄積可能な記憶容量を受信して、移動履歴データベースに格納するステップと、
情報提供者から、エリア条件およびタイミング条件を含む表示条件が付された表示条件付情報を受信し、情報記憶部に格納するステップと、
前記情報記憶部に格納された表示条件付情報に対し、前記移動履歴データベースに格納された移動履歴から得られる当該ユーザの行動エリアと、エリア条件とを対比することによって優先度を決定するステップと、
前記情報フィルタリング部によって決定された優先度の順に表示条件付情報を取り出し、前記複数の端末の中から、前記移動履歴データベースに格納された使用履歴と蓄積可能な記憶容量を参照して、タイミング条件を充足する端末を決定し、当該端末に前記表示条件付情報を送信するステップとを備えた
ことを特徴とする情報配信方法。
【手続補正２】
【補正対象書類名】明細書
【補正対象項目名】０００９
【補正方法】変更
【補正の内容】
【０００９】
請求項１および請求項２の発明は、情報配信装置または方法として、ユーザが所有する複数の端末から当該ユーザの移動履歴、および各端末の使用履歴を受信して移動履歴データベースに格納し、情報提供者から、エリア条件およびタイミング条件を含む表示条件が付された表示条件付情報を受信して情報記憶部に格納し、前記情報記憶部に格納された表示条件付情報に対し、前記移動履歴データベースに格納された移動履歴から得られる当該ユーザの行動エリアと、エリア条件とを対比することによって、フィルタリングを行い、当該ユーザに送信すべき表示条件付情報を特定し、前記移動履歴データベースに格納された使用履歴を参照し、特定された表示条件付情報について、前記複数の端末の中から、その使用時間の長さおよび使用頻度を考慮して、タイミング条件を充足する端末を決定し、当該端末に前記表示条件付情報を送信するものである。
【手続補正３】
【補正対象書類名】明細書
【補正対象項目名】００１０
【補正方法】変更
【補正の内容】
【００１０】
請求項１および請求項２の発明によると、ユーザの移動履歴、および当該ユーザが所有する複数の端末の使用履歴が、移動履歴データベースに格納される。そして、表示条件付情報に対し、そのエリア条件と、移動履歴データベースに格納された移動履歴から得られる当該ユーザの行動エリアとを対比することによって、フィルタリングが行われ、当該ユーザに送信すべき表示条件付情報が特定される。そして、特定された表示条件付情報について、移動履歴データベースに格納された使用履歴を基に、その使用時間の長さおよび使用頻度を考慮して、タイミング条件を充足する端末が決定され、当該端末にその表示条件付情報が送信される。これにより、エリア条件とユーザの移動履歴を基にして絞り込まれた情報が、タイミング条件を充足する端末に送信される。
請求項３および請求項４の発明は、情報配信装置または方法として、ユーザが所有する複数の端末から当該ユーザの移動履歴、各端末の使用履歴、および各端末の蓄積可能な記憶容量を受信して移動履歴データベースに格納し、情報提供者から、エリア条件およびタイミング条件を含む表示条件が付された表示条件付情報を受信して情報記憶部に格納し、前記情報記憶部に格納された表示条件付情報に対し、前記移動履歴データベースに格納された移動履歴から得られる当該ユーザの行動エリアと、エリア条件とを対比することによって、優先度を決定し、決定した優先度の順に表示条件付情報を取り出し、取り出された表示条件付情報について、前記複数の端末の中から、前記移動履歴データベースに格納された使用履歴と蓄積可能な記憶容量を参照して、タイミング条件を充足する端末を決定し、当該端末に前記表示条件付情報を送信するものである。
請求項３および請求項４の発明によると、ユーザの移動履歴、当該ユーザが所有する複数の端末の使用履歴、および各端末の蓄積可能な記憶容量が、移動履歴データベースに格納される。そして、表示条件付情報に対し、そのエリア条件と、移動履歴データベースに格納された移動履歴から得られる当該ユーザの行動エリアとを対比することによって、優先度が決定され、当該ユーザに送信すべき表示条件付情報がその優先度の順に取り出される。そして、取り出された表示条件付情報について、移動履歴データベースに格納された使用履歴と蓄積可能な記憶容量を参照して、タイミング条件を充足する端末が決定され、当該端末にその表示条件付情報が送信される。これにより、エリア条件とユーザの移動履歴を基にして絞り込まれた情報が、タイミング条件を充足する端末に送信される。